(57)【要約】【課題】火災時にサイドキャップが溶融して落下した状態で、ケース本体の側面部材と点検板との間を火炎が通ることがない窓シャッターとする。【解決手段】ケース本体３ａの左右の側面部材３０の外側面をサイドキャップ４０で覆い、この左右の側面部材３０間に渡って点検板５０を取り付けてシャッターケース３とし、前記点検板５０の裏面に加熱膨張材７を設け、火災時にサイドキャップ４０が溶融して落下した際に、膨張した加熱膨張材で点検板５０の裏面と側面部材３０の前面との間の隙間を閉塞するようにした窓シャッター。【選択図】図２
2014163178.tif 000002
【特許請求の範囲】
【請求項１】
シャッターケース内の巻取部で、ガイドレールに沿って移動自在なシャッターカーテンを巻き取り、繰り出しする窓シャッターであって、
前記シャッターケースは、左右の金属製の側面部材を有し、前面が開口したケース本体と、この各側面部材の外側面を覆う左右の樹脂製のサイドキャップと、前記ケース本体の開口を閉塞する金属製の点検板とを備え、
前記点検板の長手方向両端部を、サイドキャップを介在して側面部材に着脱自在に取り付け、
前記点検板と側面部材とに渡って膨張する加熱膨張材を設けたことを特徴とする窓シャッター。
【請求項２】
前記左右のサイドキャップは点検板受け面と、側面部材の前面に固着される取付片を有し、
前記点検板の裏面の長手方向両端部を左右のサイドキャップの点検板受け面に接すると共に、左右の側面部材の前面に固着具で着脱自在に連結し、
前記点検板の裏面の長手方向両端部に加熱膨張材を側面部材の前面と対向して設けた請求項１記載の窓シャッター。
【請求項３】
前記側面部材の前面に第１・第２の取付部を上下方向に間隔を置いて設け、
前記サイドキャップに、前記第１・第２の取付部と相対向する第１・第２の取付片を上下方向に間隔を置いて設け、
前記第１の取付片と第１の取付部を固着具で固着してサイドキャップを側面部材に取り付け、
前記点検板から固着具を第２の取付片を貫通して第２の取付部に固着して点検板を取り付け、
前記点検板の裏面における第１・第２の取付片と対向した部分以外に加熱膨張材を設けた請求項２記載の窓シャッター。
【請求項４】
前記側面部材は、シャッター枠の縦枠の上部に、当該縦枠の前端面よりも前方に突出して取り付け、
前記サイドキャップは側面部材の縦枠の前端面から突出した部分を覆うようにし、
前記点検板の上縁部は、シャッター枠のルーフ板に着脱自在に支持し、
前記サイドキャップの上部に設けた上取付用爪を、側面部材の上面とルーフ板との間の隙間から縦枠の上端部分の内側面に接してサイドキャップを仮取付可能とし、
前記側面部材の上面とルーフ板とに渡って膨張する加熱膨張材を設けた請求項１又は２又は３記載の窓シャッター。
【請求項５】
前記サイドキャップの下部に下取付用爪を設け、
前記側面部材に、当該側面部材の外側面と縦枠の内側面との間に前記下取付用爪が挿入するスペースを形成する開口部を設け、
前記下取付用爪を、前記スペースに挿入して縦枠の内側面に接してサイドキャップを仮取付可能とし、
前記側面部材の内側に、当該側面部材の開口部を閉塞する下金具を設けた請求項４記載の窓シャッター。
【請求項６】
前記ガイドレールは縦枠に、当該縦枠の前端面よりも前方に突出し、かつ側面部材の下部に接して取り付け、
前記側面部材にガイドレール上部の外側面に接する補強金具を取り付け、
前記サイドキャップは側面部材の下部よりも下方に突出してガイドレールの上部及び補強金具を覆うようにし、
この補強金具に加熱膨張材を設けた請求項４又は５記載の窓シャッター。
【発明の詳細な説明】
【技術分野】
【０００１】
本発明は、主として建物の外壁に取り付けられ、サッシ窓の雨戸として利用される窓シャッターに関する。
【背景技術】
【０００２】
窓シャッターとしては、シャッターケースと、このシャッターケース内に回転自在に設けた巻取部と、その巻取部に巻き掛けられたシャッターカーテンと、左右のガイドレールを備え、巻取部を回転することでシャッターカーテンを巻き取り、繰り出しする窓シャッターが知られている（例えば、特許文献１参照）。
【先行技術文献】
【特許文献】
【０００３】
【特許文献１】特許第４０３２３４１号公報
【発明の概要】
【発明が解決しようとする課題】
【０００４】
従来の窓シャッターのシャッターケースは、ケース本体と、ケース本体の左右の側面板の前面寄りに取り付けられ、そのケース本体の前面開口を閉塞する点検板とを備えているので、シャッターケースの左右両側は、左右の側面板と点検板の端部とが露出し、見栄えが悪い。
そこで、本発明者等はケース本体の左右の側面板に樹脂製のサイドキャップを取り付け、見栄えを良くした窓シャッターを提案した。
【０００５】
しかしながら前述の窓シャッターであると、火災時等に樹脂製のサイドキャップが溶融等して落下することがある。
サイドキャップが落下すると、ケース本体の左右の側面板と点検板との間にサイドキャップがなくなるので、側面板と点検板との間に隙間が生じ、その隙間を通して火炎が窓シャッターの室内側と室外側とに渡って流れるので、防火の面から好ましくない。
【０００６】
例えば、前述の窓シャッター単体の防火試験を実施したところ、サイドキャップが溶融して落下すると、ケース本体の側面板と点検板との間に、内部と外部を連通する貫通孔が生じ、その貫通孔を通して火炎が内部と外部とに流れ、所定の防火性能が得られなかった。
【０００７】
本発明の目的は、火災時等にサイドキャップが溶融して落下した状態でケース本体の側面部材と点検板との間を火炎が通ることがないようにした窓シャッターとすることである。
【課題を解決するための手段】
【０００８】
本発明は、シャッターケース内の巻取部で、ガイドレールに沿って移動自在なシャッターカーテンを巻き取り、繰り出しする窓シャッターであって、
前記シャッターケースは、左右の金属製の側面部材を有し、前面が開口したケース本体と、この各側面部材の外側面を覆う左右の樹脂製のサイドキャップと、前記ケース本体の開口を閉塞する金属製の点検板とを備え、
前記点検板の長手方向両端部を、サイドキャップを介在して側面部材に着脱自在に取り付け、前記点検板と側面部材とに渡って膨張する加熱膨張材を設けたことを特徴とする窓シャッターである。
【０００９】
本発明の窓シャッターは、前記左右のサイドキャップは点検板受け面と、側面部材の前面に固着される取付片を有し、
前記点検板の裏面の長手方向両端部を左右のサイドキャップの点検板受け面に接すると共に、左右の側面部材の前面に固着具で着脱自在に連結し、
前記点検板の裏面の長手方向両端部に加熱膨張材を側面部材の前面と対向して設けることができる。
このようにすれば、サイドキャップを側面部材に固着して取り付けた後に、点検板を着脱自在に取り付けできるから、サイドキャップを取り付けた状態で点検板を取り付け、取り外してケース本体内を点検等することができる。
【００１０】
本発明の窓シャッターは、前記側面部材の前面に第１・第２の取付部を上下方向に間隔を置いて設け、
前記サイドキャップに、前記第１・第２の取付部と相対向する第１・第２の取付片を上下方向に間隔を置いて設け、
前記第１の取付片と第１の取付部を固着具で固着してサイドキャップを側面部材に取り付け、
前記点検板から固着具を第２の取付片を貫通して第２の取付部に固着して点検板を取り付け、
前記点検板の裏面における第１・第２の取付片と対向した部分以外に加熱膨張材を設けることができる。
このようにすれば、加熱膨張材が取り付けの邪魔になることがなく、サイドキャップ及び点検板を側面部材に簡単に取り付けできる。
【００１１】
本発明の窓シャッターは、前記側面部材は、シャッター枠の縦枠の上部に、当該縦枠の前端面よりも前方に突出して取り付け、
前記サイドキャップは側面部材の縦枠の前端面から突出した部分を覆うようにし、
前記点検板の上縁部は、シャッター枠のルーフ板に着脱自在に支持し、
前記サイドキャップの上部に設けた上取付用爪を、側面部材の上面とルーフ板との間の隙間から縦枠の上端部分の内側面に接してサイドキャップを仮取付可能とし、
前記側面部材の上面とルーフ板とに渡って膨張する加熱膨張材を設けることができる。
このようにすれば、サイドキャップを仮取り付けできるから、その取り付けが容易である。
また、火災時などにサイドキャップが溶融して落下したときに側面部材の上面とルーフ板との間の隙間が膨張した加熱膨張材で閉塞され、その隙間を火炎が通ることがなく、防火性能が優れたものとなる。
【００１２】
本発明の窓シャッターは、前記サイドキャップの下部に下取付用爪を設け、
前記側面部材に、当該側面部材の外側面と縦枠の内側面との間に前記下取付用爪が挿入するスペースを形成する開口部を設け、
前記下取付用爪を、前記スペースに挿入して縦枠の内側面に接してサイドキャップを仮取付可能とし、
前記側面部材の内側に、当該側面部材の開口部を閉塞する下金具を設けることができる。
このようにすれば、サイドキャップを仮取り付けできるから、その取り付けが容易である。
また、火災時などにサイドキャップが溶融して落下したときに、開口部は下金具で閉塞されているので、火炎が通ることがなく、防火性能が優れたものとなる。
【００１３】
本発明の窓シャッターは、前記ガイドレールは縦枠に、当該縦枠の前端面よりも前方に突出し、かつ側面部材の下部に接して取り付け、
前記側面部材にガイドレール上部の外側面に接する補強金具を取り付け、
前記サイドキャップは側面部材の下部よりも下方に突出してガイドレールの上部及び補強金具を覆うようにし、
この補強金具に加熱膨張材を設けることができる。
このようにすれば、通常時はサイドキャップでガイドレールの上部及び補強金具が覆われているから見栄えが良く、火災などでガイドレールが熱伸びした際に、ガイドレール上部の側面部材と離れる外側への変形が抑制されると共に、ガイドレール上部と側面部材と縦枠との間に生じた隙間が膨張した加熱膨張材で閉塞され、火炎が通ることがなく、防火性能が優れたものとなる。
【発明の効果】
【００１４】
本発明によれば、火災時などにサイドキャップが溶融して落下したときには加熱膨張材が膨張してケース本体の側面部材と点検板との間の隙間を閉塞するので、側面部材と点検板との間を火炎が通ることがなく、防火性能に優れた窓シャッターである。
【図面の簡単な説明】
【００１５】
【図１】本発明の実施の形態を示す窓シャッターの前面図である。
【図２】窓シャッターの縦断面図である。
【図３】窓シャッターの横断面図である。
【図４】窓シャッター上部の斜視図である。
【図５】窓シャッター上部の分解斜視図である。
【図６】点検板を外した状態の窓シャッター上部の斜視図である。
【図７】サイドキャップを外した状態の窓シャッター上部の斜視図である。
【図８】側面部材の外側斜視図である。
【図９】側面部材の内側斜視図である。
【図１０】サイドキャップの内側斜視図である。
【発明を実施するための形態】
【００１６】
図１は窓シャッターの前面図で、窓シャッター１はシャッター枠２、シャッターケース３、巻取部４、シャッターカーテン５、左右のガイドレール６を備えている。
シャッター枠２は、左右の縦枠２０，２０と、この左右の縦枠２０の下端部間に渡って連結した下枠２１と、左右の縦枠２０の上端寄り間に渡って連結した上枠２２、左右の縦枠２０の上端部間に渡って連結したルーフ板２３を備えている。
【００１７】
シャッターケース３は図２に示すように、シャッター枠２の上部寄り、例えばルーフ板２３と上枠２２との間に取り付けてあり、シャッターケース３は図２、図３に示すように縦枠２０の前端面よりも前方に突出して取り付けてある。
巻取部４はシャッターケース３内に回転自在に設けた軸としてある。
シャッターカーテン５は、複数のスラット５ａを折曲自在に連結したもので、その最上端のスラット５ａが巻取部４に連結され、巻取部４を回転することでシャッターカーテン５は左右のガイドレール６に沿って移動する。
ガイドレール６は縦枠２０の上枠２２と下枠２１との間の室外側部に取り付けられ、このガイドレール６は縦枠２０に、その前端面よりも前方に突出して取り付けた断面略コ字形状で、各スラット５ａの長手方向両端部を摺動ガイドする。
【００１８】
この実施の形態は、シャッター枠２の左右の縦枠２０と下枠２１と上枠２２とでサッシ窓のサッシ枠を形成し、そのサッシ枠に図示しない障子が引き違いに装着されている。
つまり、通常一般のサッシ枠を形成する縦枠２０を上枠２２よりも上方に突出し、その突出端間にルーフ板２３を取り付け、左右の縦枠２０の上部寄りとルーフ板２３と上枠２２とでシャッターケース収容部２ａを有し、上枠２２と下枠２１と左右の縦枠２０とで障子収容部２ｂを有するシャッター枠２としてある。
なお、シャッター枠とサッシ枠を別体としても良い。
【００１９】
シャッターケース３は、図２、図４、図５に示すように、左右の縦枠２０のシャッターケース収容部２ａを形成する部分の内側面に取り付けた左右の側面部材３０と、左右の側面部材３０の後面部側に渡って取り付けたコ字形状のケース裏板３１とで前面側が開口したケース本体３ａと、左右の側面部材３０の外側面を覆うサイドキャップ４０と、ケース本体３ａの開口を開閉する点検板５０とを有している。
【００２０】
左右の側面部材３０は図２、図５に示すように、縦枠２０の前端面２０ａよりも前方に突出して取り付けられる。
側面部材３０の前面３０ａには、前上取付部３２と前下取付部３３とが設けられ、下面３０ｂには下取付部３４が設けてある。
前上・下取付部３２，３３及び下取付部３４はねじ孔３２ａ，３３ａ，３４ａを有している。
【００２１】
サイドキャップ４０は、図５に示すように側面部材３０の縦枠２０の前端面２０ａより前方に突出した前部分とほぼ同一形状、同一大きさの板状で、その突出した部分を覆う本体４１を備えている。
本体４１の内側面４１ａにおける本体４１の前面４１ｂよりも若干本体４１の後面４１ｃ寄りに内向突部４２が上下方向に連続して有し、内向突部４２の前面４２ａが点検板受け面である。
つまり、サイドキャップ４０の前面は、図６に示すように、点検板受け面（内向突部４２の前面４２ａ）となる内側前面４０ａと、この内側前面よりも突出した外側前面４０ｂ（本体４１の前面４１ｂ）とを有する段付き形状となっている。
【００２２】
この内向突部４２に上取付片４３と下取付片４４が、内向突部４２の前面４２ａと面一で、かつ内向突部４２よりも内側に突出して設けてある。この上・下取付片４３，４４は側面部材３０の前上取付部３２、前下取付部３３のねじ孔３２ａ，３３ａと連続する透孔４３ａ，４４ａを有している。
【００２３】
点検板５０は図５に示すように、サイドキャップ４０の本体４１に設けた内向突部４２の前面４２ａ、つまり点検板受け面と同一角度に折曲した板状の本体５１を有し、その本体５１の上縁部に上取付片５２、下部には下取付片５３を有している。
本体５１の長手方向両端寄りの上部には孔５４が形成され、下取付片５３の長手方向両端寄りには孔５５が形成してある。
【００２４】
そして、図２に示すように、サイドキャップ４０の上取付片４３、下取付片４４を側面部材３０の前上取付部３２、前下取付部３３に接し、下取付片４４の誘孔４４ａからねじ４５を前下取付部３３のねじ孔３３ａに螺合してサイドキャップ４０の下部寄りを側面部材３０の前面における下部寄りに固着する。
この状態で、サイドキャップ４０の上取付片４３が側面部材３０の前上取付部３２に接すると共に、誘孔４３ａとねじ孔３２ａが一致する。
【００２５】
点検板５０の下取付片５３を側面部材３０の下取付部３４に接した状態で、上取付片５２をルーフ板２３の前端部に形成した係合凹部２３ａに係合して着脱自在に支持し、本体５１の長手方向両端の裏面を左右のサイドキャップ４０の内向突部４２の前面４２ａ（点検板受け面）に接して点検板５０を仮取り付けする。
この状態で、点検板５０の孔５４からねじ５６を、サイドキャップ４０の上取付片４３の透孔４３ａを通して側面部材３０の前上取付部３２のねじ孔３２ａに螺合すると共に、点検板５０の下取付片５３の孔５５からねじ５７を側面部材３０の下部取付部３４のねじ孔３４ａに螺合することで、点検板５０を左右の側面部材３０間に渡って取り付ける。
【００２６】
このようにすることで、点検板５０の本体５１の裏面と側面部材３０の前面３０ａとは前後方向に離隔する。
また、側面部材３０、点検板５０の長手方向両端部がサイドキャップ４０で覆われるから、見栄えが良い。
また、サイドキャップ４０を取り付けた状態で、ねじ５６、ねじ５７を弛めたり、締め付けたりすることで点検板５０を取り外し、取り付けできるので、ケース本体３ａ内を点検等できる。
【００２７】
なお、取付部及び取付片の上下方向の位置及び数は前述のものに限ることはなく、要するに、側面部材３０の前面及びサイドキャップ４０に、サイドキャップ４０を側面部材３０に固着具で固着するための第１の取付部、第１の取付片と、点検板を側面部材３０に固着する第２の取付部、第２の取付片を設け、サイドキャップ４０を取り付けた状態で点検板５０を取り付け、取り外しできるようにすれば良い。
【００２８】
縦枠２０、ルーフ板２３は金属製、例えばアルミ合金製で、側面部材３０、ケース裏板３１、点検板５０は金属製、例えば鉄製で、サイドキャップ４０は見栄えを良くする等のために樹脂製としてあるので、火災時などにサイドキャップ４０が高温で溶融し、落下することがある。
サイドキャップ４０が脱落した状態を図７で示している。
【００２９】
図７に示すようにサイドキャップ４０が落下すると、側面部材３０の前面３０ａと点検板５０の本体５１の裏面との間に隙間が生じ、その隙間を火炎が通る。
【００３０】
そこで、本発明は図２、図７に示すように、点検板５０の本体５１の裏面における長手方向両端寄りの左右の側面部材３０の前面３０ａと対向した部分に加熱膨張材７を帯状として接着剤等で貼着して設けた。
点検板５０の本体５１の裏面はサイドキャップ４０の上取付片３２、下取付片３３に接するので、その上取付片３２、下取付片３３と対向する部分には加熱膨張材７が設けていない。
これにより、加熱膨張材７が点検板５０の取り付けの邪魔にならない。
加熱膨張材７はサイドキャップ４０が溶融開始する温度で体積が膨張する材料である。
【００３１】
このようにすることで、火災時などのようにサイドキャップ４０が溶融し、落下すると加熱膨張材７が膨張して側面部材３０の前面３０ａと点検板５０の裏面との間の隙間が膨張した加熱膨張材で閉塞され、側面部材３０と点検板５０との間に隙間がないようにできるから、耐火性に優れた窓サッシである。
【００３２】
次に、各部材の詳細を説明する。
側面部材３０は図８、図９に示すように、ほぼ矩形状の外面板３５と、この外面板３５の内側面に設けた第１スラットガイド３６、第２スラットガイド３７を有し、外面板３５の内側面に設けた巻取部支持ブラケット３８が第１・第２スラットガイド３６，３７に形成した円弧状面３６ａ，３７ａよりなる略円形孔から内側に突出し、その巻取部支持ブラケット３８に巻取部４が回転自在に支持される。
外面板３５の周縁部は内面側に向けて折曲し、上折曲片３５ａ、前上取付部３２となる前上折曲片３５ｂ、前下取付部３３となる前下折曲片３５ｃ、下部取付部３４となる下前折曲片３５ｄ、下後折曲片３５ｅ、後折曲片３５ｆを有している。
上折曲片３５ａの前部寄りは上向きに折曲して上取付片３５ｇとしてある。
第１・第２スラットガイド３６，３７の前面側には折曲片３６ｂ，３７ｂが設けられ、その折曲片３６ｂ、３７ｂが外面板３５の内側面に接し、外面板３５と第１．第２スラットガイド３６，３７との間に空間を形成している。
そして、上折曲片３５ａと後折曲片３５ｆと下後折曲片３５ｅとに渡ってケース裏板３１を固着して取り付ける。
【００３３】
側面部材３０は図２、図５に示すように、縦枠２０の内面にねじ３９で固着したブラケット２４に側面部材３０の上取付片３５ｇをねじ２３ｂで固着することで縦枠２０に取り付ける。
図２、図５に示すように側面部材３０の上面３０ｃとルーフ板２３とは上下方向に離隔し、縦枠２０の上端部分２０ｂが側面部材３０の上面３０ｃとルーフ板２３とに渡って上下方向に連続している。
【００３４】
図５、図８に示すように、側面部材３０の外面板３５の前後方向中間の下部寄りに開口部３５ｈが形成されている。例えば、長方形の開口部３５ｈが形成してある。
そして、側面部材３０を縦枠２０に取り付けた状態では、図５に示すように開口部３５ｈの前方部分が縦板２０の前端面２０ａよりも前方に突出し、開口部３５ｈの後方部分が縦板２０の内側面と対向し、縦板２０の内側面と側面部材３０の外側面（外面板３５）との間に、後述する上取付用爪４６が挿入するスペースを形成している。
【００３５】
図１０に示すように、サイドキャップ４０の本体４１の内側面４１ａにおける後面４１ｃ寄りの上下には上取付用爪４６と下取付用爪４７が、後面４１ｃよりも後方に突出して設けてある。
そして、図５に示す状態からサイドキャップ４０を縦枠２０側に移動することで、上取付用爪４６が側面部材３０の上面３０ｃとルーフ板２３との間から縦枠２０の上端部分２０ｂの内側面に接すると共に、下取付用爪４７が側面部材３０の外面板３５の開口部３５ｈから縦枠２０の前端面２０ａ寄りの内側面に接することで、サイドキャップ４０の後面寄りを縦枠２０で支持し、側面部材３０に仮取り付けできるようにしてある。
【００３６】
なお、上取付用爪４６と下取付用爪４７の一方のみでサイドキャップ４０を仮取り付けできるようにしても良い。
【００３７】
このようであるから、サイドキャップ４０を側面部材３０に簡単な操作で仮取り付けし、その状態でサイドキャップ４０を側面部材３０の前面３０ａに固着して取り付けるので、サイドキャップ４０を簡単に側面部材３０に取り付けできる。
【００３８】
しかしながら、サイドキャップ４０が溶融して落下すると図７に示すように、側面部材３０の上面３０ｃとルーフ板２３と点検板５０（本体５１）との間に大きな隙間ａが形成され、その隙間ａを火炎が通るので、防火性能が悪くなる。
また、側面部材３０の開口部３５ｈを火炎が通るので、防火性能が悪くなる。
【００３９】
そこで、図２、図５、図８、図９に示すように側面部材３０の上面３０ｃにおける隙間ａを形成する部分、つまり縦枠２０の前端面２０ａよりも突出した部分に上金具７０を取り付け、その上金具７０に加熱膨張材７をシート状に設ける。この上金具７０は鉄製のプレート形状としてある。
例えば、側面部材３０の外面板３５の上折曲片３５ａに上金具７０をリベット等の固着具７１で固着して取り付け、その上金具７０を前方に張り出して外面板３５の上面と第１スラットガイド３６の上端面とに渡って設けると共に、外面板３５の外側面に接して外面板３５が外側に変位しないようにする。
【００４０】
このようにすることで、火災時などにサイドキャップ４０が溶融して落下した際に、加熱膨張材７が膨張し、その膨張した加熱膨張材で前述の隙間ａが閉塞されるから、火災時に側面部材３０の上面３０ｃとルーフ板２３と点検板５０との間を火炎が通ることがなく、耐火性能が優れたものとなる。
【００４１】
上金具７０は加熱膨張材７を貼着するためと、外面板３５の補強のために設けてある。つまり、側面部材３０が外面板３５と第１・第２スラットガイド３６，３７とで形成され、その上部に加熱膨張材７を貼着できないと共に、外面板３５が変形し易いので、前述の上金具７０を設けている。
側面部材３０の形状によっては上金具７０を設けなくとも良い。
【００４２】
図７、図８に示すように、側面部材３０の外面板３５の内側面に、開口部３５ｈを閉塞する下金具８０を設けて開口部３５ｈを閉塞することで、火災時に開口部３５ｈを火炎が通ることがないようにする。この下金具８０は鉄製のプレート状としてある。
なお、図５には下金具８０の図示が省略してある。
【００４３】
図５に示すように、ガイドレール６は縦枠２０の前端面２０ａよりも前方に突出していると共に、そのガイドレール６の上端が側面部材３０の下部（第２スラットガイド３７の下端面）に接しているので、火災時などにガイドレール６が熱膨張した際に、ガイドレール６の上部が外側に向けて変形し、ガイドレール６の上部と側面部材３０と縦枠２０との間に隙間が生じることがある。
【００４４】
そこで、側面部材３０に補強金具８１を設け、この補強金具８１をガイドレール６上部の外側面に接して変形を抑制すると共に、その補強金具８１に加熱膨張材７を設けた。
例えば、プレート状の下金具８０を、外面板７５の下端よりも下方に突出し、図７に示すようにガイドレール６の上端面と外側面に接するように鉤形状に折曲して補強金具８１とし、その部分に加熱膨張材７がシート状に設けてある。
なお、補強金具８１は下金具８０と別体でも良い。
【００４５】
このようであるから、火災時などのようにサイドキャップ４０が溶融して落下した際に、ガイドレール６上部の外側への変形を抑制すると共に、加熱膨張材７が膨張し、外面板３５の下部とガイドレール６の上端部と縦枠２０の前端面２０ａで囲まれた部分に膨張した加熱膨張材７が充満することになるから、ガイドレール６が熱伸びしてガイドレール６上部と側面部材３０と縦枠２０との間に隙間が発生した場合に、その隙間を膨張した加熱膨張材７で閉塞し、火炎が通ることがないようにできる。
【００４６】
前述した上金具７０、下金具８０、補強金具８１及び加熱膨張材７、ガイドレール６の上部はサイドキャップ４０で覆われ、目視されないので、見栄えが良い。
【符号の説明】
【００４７】
２…シャッター枠、３…シャッターケース、３ａ…ケース本体、４…巻取部、５…シャッターカーテン、６…ガイドレール、７…加熱膨張材、２０…縦枠、２０ａ…前端面、３０…側面部材、３０ａ…前面、３２…前上取付部（第２の取付部）、３３…前下取付部（第１の取付部、）、３５ｈ…開口部、４０…サイドキャップ、４３…上取付片（第２の取付片）、４４…下取付片（第１の取付片）、４６…上取付用爪、４７…下取付用爪、５０…点検板、７０…上金具、８０…下金具、８１…補強金具。
【図１】
2014163178.tif 000003
【図２】
2014163178.tif 000004
【図３】
2014163178.tif 000005
【図４】
2014163178.tif 000006
【図５】
2014163178.tif 000007
【図６】
2014163178.tif 000008
【図７】
2014163178.tif 000009
【図８】
2014163178.tif 000010
【図９】
2014163178.tif 000011
【図１０】
2014163178.tif 000012